(57)【要約】【課題】広角端で７０°を超える画角を有しながらも小型で十分な変倍比を持ち、かつ、ズーム全域で収差の発生を抑えていながら、動画撮影にも好適な軽量のフォーカス群を有するズームレンズ，それを備えた撮像光学装置及びデジタル機器を提供する。【解決手段】正負正負正負のズームレンズＺＬは、変倍に際して隣り合うレンズ群の間隔が変化し、無限遠物体から近接距離物体へのフォーカシングにおいて第６レンズ群Ｇｒ６が光軸ＡＸ上を移動し、条件式：５．７≦ｆ１／ｆｗ≦１０．０，−３．００≦ｆ６／ｂｆｗ≦−１．３５（ｆｗ：広角端における全系の焦点距離、ｆ１：第１レンズ群の焦点距離、ｆ６：第６レンズ群の焦点距離、ｂｆｗ：広角端におけるバックフォーカス）を満足する。【選択図】図１
2020085925.tif 000002
【特許請求の範囲】
【請求項１】
物体側から順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、負の屈折力を有する第６レンズ群とからなり、
変倍に際して隣り合うレンズ群の間隔が変化し、
無限遠物体から近接距離物体へのフォーカシングにおいて前記第６レンズ群が光軸上を移動し、
以下の条件式（１）及び（２）を満足することを特徴とするズームレンズ；
５．７≦ｆ１／ｆｗ≦１０．０  …（１）
−３．００≦ｆ６／ｂｆｗ≦−１．３５  …（２）
ただし、
ｆｗ：広角端における全系の焦点距離、
ｆ１：第１レンズ群の焦点距離、
ｆ６：第６レンズ群の焦点距離、
ｂｆｗ：広角端におけるバックフォーカス、
である。
【請求項２】
前記第３レンズ群が、以下の条件式（３）を満足する正レンズを少なくとも１枚有することを特徴とする請求項１記載のズームレンズ；
νｄｐ≧６５  …（３）
ただし、
νｄｐ：第３レンズ群内の正レンズのアッベ数、
である。
【請求項３】
前記第４レンズ群を手振れ補正群として、光軸に対し直交方向に移動させることにより手振れ補正を行うことを特徴とする請求項１又は２記載のズームレンズ。
【請求項４】
以下の条件式（４）を満足することを特徴とする請求項１〜３のいずれか１項に記載のズームレンズ；
０．１≦Ｍ２／Ｍ１≦０．５  …（４）
ただし、
Ｍ１：広角端から望遠端への変倍時に第１レンズ群が光軸上を移動する量、
Ｍ２：広角端から望遠端への変倍時に第２レンズ群が光軸上を移動する量、
である。
【請求項５】
前記第６レンズ群が正レンズ１枚と負レンズ１枚からなり、以下の条件式（５）を満足することを特徴とする請求項１〜４のいずれか１項に記載のズームレンズ；
０．１≦Ｔ６／ｆｗ≦０．３  …（５）
ただし、
ｆｗ：広角端における全系の焦点距離、
Ｔ６：第６レンズ群の光軸上の厚み、
である。
【請求項６】
以下の条件式（６）を満足することを特徴とする請求項１〜５のいずれか１項に記載のズームレンズ；
−１．２≦ｆ２／ｆｗ≦−０．７６  …（６）
ただし、
ｆｗ：広角端における全系の焦点距離、
ｆ２：第２レンズ群の焦点距離、
である。
【請求項７】
請求項１〜６のいずれか１項に記載のズームレンズと、受光面上に形成された光学像を電気的な信号に変換する撮像素子と、を備え、前記撮像素子の受光面上に被写体の光学像が形成されるように前記ズームレンズが設けられていることを特徴とする撮像光学装置。
【請求項８】
請求項７記載の撮像光学装置を備えることにより、被写体の静止画撮影，動画撮影のうちの少なくとも一方の機能が付加されたことを特徴とするデジタル機器。
【発明の詳細な説明】
【技術分野】
【０００１】
本発明はズームレンズ，撮像光学装置及びデジタル機器に関するものであり、例えば、高変倍比を有する撮像用のズームレンズと、そのズームレンズ及び撮像素子で取り込んだ被写体の映像を電気的な信号として出力する撮像光学装置と、その撮像光学装置を搭載したデジタルカメラ等の画像入力機能付きデジタル機器と、に関するものである。
【背景技術】
【０００２】
近年、ズームレンズに対して、小型化，広角化，高変倍比，高解像力等の要望が強くなってきている。それに応えるため、例えば高変倍比を有するズームレンズが特許文献１，２で提案されている。
【先行技術文献】
【特許文献】
【０００３】
【特許文献１】特開２０１７−１１６６４５号公報
【特許文献２】特開２０１０−１９８０１２号公報
【発明の概要】
【発明が解決しようとする課題】
【０００４】
また、近年のデジタルカメラでは、オートフォーカスによる静止画の撮影のみでなく動画の撮影も行われる。動画撮影においては物体の移動に対して常に合焦状態を保つ必要があるため、合焦用のレンズ群を高速に振動させて（ウォブリング）、常にコントラストの最大値をとらえるように合焦用のレンズ群を移動させる制御が行われる。合焦用のレンズ群の重量が増加してしまうと、アクチュエータへの負荷が増大してしまい、静音化が困難となり、動画撮影時にアクチュエータの駆動音を録音してしまうことになり、動画撮影の妨げとなる。
【０００５】
特許文献１に記載のズームレンズは、十分な広画角と高変倍比を有しているが、無限遠物体から近接距離物体へのフォーカシングを重量の大きい第２レンズ群で行うため、動画撮影に適しているとは言えない。また、特許文献２に記載のズームレンズでは、広角端における広角化が不十分である。
【０００６】
本発明はこのような状況に鑑みてなされたものであって、その目的は、広角端で７０°を超える画角を有しながらも小型で十分な変倍比を持ち、かつ、ズーム全域で収差の発生を抑えていながら、動画撮影にも好適な軽量のフォーカス群を有するズームレンズ，それを備えた撮像光学装置及びデジタル機器を提供することにある。
【課題を解決するための手段】
【０００７】
上記目的を達成するために、第１の発明のズームレンズは、物体側から順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、負の屈折力を有する第６レンズ群とからなり、
変倍に際して隣り合うレンズ群の間隔が変化し、
無限遠物体から近接距離物体へのフォーカシングにおいて前記第６レンズ群が光軸上を移動し、
以下の条件式（１）及び（２）を満足することを特徴とする。
５．７≦ｆ１／ｆｗ≦１０．０  …（１）
−３．００≦ｆ６／ｂｆｗ≦−１．３５  …（２）
ただし、
ｆｗ：広角端における全系の焦点距離、
ｆ１：第１レンズ群の焦点距離、
ｆ６：第６レンズ群の焦点距離、
ｂｆｗ：広角端におけるバックフォーカス、
である。
【０００８】
第２の発明のズームレンズは、上記第１の発明において、前記第３レンズ群が、以下の条件式（３）を満足する正レンズを少なくとも１枚有することを特徴とする。
νｄｐ≧６５  …（３）
ただし、
νｄｐ：第３レンズ群内の正レンズのアッベ数、
である。
【０００９】
第３の発明のズームレンズは、上記第１又は第２の発明において、前記第４レンズ群を手振れ補正群として、光軸に対し直交方向に移動させることにより手振れ補正を行うことを特徴とする。
【００１０】
第４の発明のズームレンズは、上記第１〜第３のいずれか１つの発明において、以下の条件式（４）を満足することを特徴とする。
０．１≦Ｍ２／Ｍ１≦０．５  …（４）
ただし、
Ｍ１：広角端から望遠端への変倍時に第１レンズ群が光軸上を移動する量、
Ｍ２：広角端から望遠端への変倍時に第２レンズ群が光軸上を移動する量、
である。
【００１１】
第５の発明のズームレンズは、上記第１〜第４のいずれか１つの発明において、前記第６レンズ群が正レンズ１枚と負レンズ１枚からなり、以下の条件式（５）を満足することを特徴とする。
０．１≦Ｔ６／ｆｗ≦０．３  …（５）
ただし、
ｆｗ：広角端における全系の焦点距離、
Ｔ６：第６レンズ群の光軸上の厚み、
である。
【００１２】
第６の発明のズームレンズは、上記第１〜第５のいずれか１つの発明において、以下の条件式（６）を満足することを特徴とする。
−１．２≦ｆ２／ｆｗ≦−０．７６  …（６）
ただし、
ｆｗ：広角端における全系の焦点距離、
ｆ２：第２レンズ群の焦点距離、
である。
【００１３】
第７の発明の撮像光学装置は、上記第１〜第６のいずれか１つの発明に係るズームレンズと、受光面上に形成された光学像を電気的な信号に変換する撮像素子と、を備え、前記撮像素子の受光面上に被写体の光学像が形成されるように前記ズームレンズが設けられていることを特徴とする。
【００１４】
第８の発明のデジタル機器は、上記第７の発明に係る撮像光学装置を備えることにより、被写体の静止画撮影，動画撮影のうちの少なくとも一方の機能が付加されたことを特徴とする。
【発明の効果】
【００１５】
本発明によれば、広角端で７０°を超える画角を有しながらも小型で十分な変倍比を持ち、かつ、ズーム全域で収差の発生を抑えていながら、動画撮影にも好適な軽量のフォーカス群を有するズームレンズ及び撮像光学装置を実現することができる。そのズームレンズ又は撮像光学装置をデジタル機器（例えばデジタルカメラ）に用いることによって、デジタル機器に対して高性能の画像入力機能をコンパクトに付加することが可能となる。
【図面の簡単な説明】
【００１６】
【図１】第１の実施の形態（実施例１）の光学構成図。
【図２】第２の実施の形態（実施例２）の光学構成図。
【図３】第３の実施の形態（実施例３）の光学構成図。
【図４】第４の実施の形態（実施例４）の光学構成図。
【図５】第５の実施の形態（実施例５）の光学構成図。
【図６】第６の実施の形態（実施例６）の光学構成図。
【図７】第７の実施の形態（実施例７）の光学構成図。
【図８】実施例１の収差図。
【図９】実施例２の収差図。
【図１０】実施例３の収差図。
【図１１】実施例４の収差図。
【図１２】実施例５の収差図。
【図１３】実施例６の収差図。
【図１４】実施例７の収差図。
【図１５】ズームレンズを搭載したデジタル機器の概略構成例を示す模式図。
【発明を実施するための形態】
【００１７】
以下、本発明の実施の形態に係るズームレンズ，撮像光学装置及びデジタル機器を説明する。本発明の実施の形態に係るズームレンズは、物体側から順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、負の屈折力を有する第６レンズ群とからなり、変倍に際して隣り合うレンズ群の間隔が変化し、無限遠物体から近接距離物体へのフォーカシングにおいて第６レンズ群が光軸上を移動する構成になっている。このようにパワー配置を物体側から順に正，負，正，負，正，負とし（パワー：焦点距離の逆数で定義される量）、小型・軽量な第６レンズ群でフォーカシングを行う構成とすることにより、動画撮影にも好適な構成としている。
【００１８】
また、上記ズームレンズは、以下の条件式（１）及び（２）を満足することを特徴としている。
５．７≦ｆ１／ｆｗ≦１０．０  …（１）
−３．００≦ｆ６／ｂｆｗ≦−１．３５  …（２）
ただし、
ｆｗ：広角端における全系の焦点距離、
ｆ１：第１レンズ群の焦点距離、
ｆ６：第６レンズ群の焦点距離、
ｂｆｗ：広角端におけるバックフォーカス、
である。
【００１９】
条件式（１）は、第１レンズ群の焦点距離を適切に設定することにより、広角端における広角化を達成するとともに広い変倍領域にわたって良好に収差を補正するための条件を規定している。条件式（１）の下限を下回ると、第１レンズ群のパワーが強くなりすぎて、特に望遠端において第１レンズ群で発生する球面収差・コマ収差が増大してしまう。上記収差を補正するためには第１レンズ群内の正レンズに屈折率の高い硝材を使用するのが効果的であるが、屈折率が高い硝材は分散も高く、今度は軸上色収差の補正が困難になる。また画角に関しては、条件式（１）の下限を下回ると、広角端における広角化が不十分となる。一方、条件式（１）の上限を上回ると、第１レンズ群のパワーが不足してしまうため、高変倍化しようとすると第１レンズ群の移動量が長くなる。その結果、望遠端における光学全長が大きくなってしまう。また、第３レンズ群のパワーを強くする必要が生じるため、軸上色収差の補正が困難となる。したがって、条件式（１）を満たせば、７０°を超える広画角・高変倍比のズーム全域で諸収差の発生を抑えて高性能化を達成することが可能となる。
【００２０】
条件式（２）は、第６レンズ群の焦点距離を適切に設定することにより、フォーカシングを行う第６レンズ群の軽量化と広角端におけるバックフォーカスの確保とを達成するための条件を規定している。条件式（２）の下限を下回ると、広角端におけるバックフォーカスの確保が困難になる。また、第６レンズ群の径が大きくなってしまうため、小型・軽量のフォーカス群を得ることが困難になり、さらに、撮像面に入射する光線のテレセントリック性の確保も困難になる。一方、条件式（２）の上限を上回ると、バックフォーカスが長くなって光学全長が大きくなってしまい、ズームレンズの大型化を招くことになる。また、フォーカシング時に第６レンズ群で発生する軸上色収差，倍率色収差，球面収差及びコマ収差が大きくなってしまう。したがって、条件式（２）を満たせば、ズームレンズの小型化と高性能化を図りつつ、フォーカス群の軽量化とバックフォーカスの確保を達成することが可能となる。
【００２１】
上記特徴的構成によると、広角端で７０°を超える画角を有しながらも小型で十分な変倍比を持ち、かつ、ズーム全域で収差の発生を抑えていながら、動画撮影にも好適な軽量のフォーカス群を有するズームレンズ及び撮像光学装置を実現することができる。そのズームレンズ又は撮像光学装置をデジタル機器（例えばデジタルカメラ）に用いることによって、デジタル機器に対して高性能の画像入力機能をコンパクトに付加することが可能となり、デジタル機器のコンパクト化，低コスト化，高性能化，高機能化等に寄与することができる。例えば、上記特徴的構成を有するズームレンズは、ミラーレスタイプのレンズ交換式デジタルカメラ用の交換レンズとして好適であるため、持ち運びに便利な軽量・小型で高性能な交換レンズを実現することができる。こういった効果をバランス良く得るとともに、更に高い光学性能，軽量・小型化等を達成するための条件等を以下に説明する。
【００２２】
以下の条件式（１ａ）を満足することが望ましい。
５．９≦ｆ１／ｆｗ≦８  …（１ａ）
この条件式（１ａ）は、前記条件式（１）が規定している条件範囲のなかでも、前記観点等に基づいた好ましい条件範囲を規定している。したがって、好ましくは条件式（１ａ）を満たすことにより、前記効果をより一層大きくすることができる。
【００２３】
以下の条件式（２ａ）を満足することが望ましい。
−２．５０≦ｆ６／ｂｆｗ≦−１．４  …（２ａ）
この条件式（２ａ）は、前記条件式（２）が規定している条件範囲のなかでも、前記観点等に基づいた好ましい条件範囲を規定している。したがって、好ましくは条件式（２ａ）を満たすことにより、前記効果をより一層大きくすることができる。
【００２４】
前記第３レンズ群が、以下の条件式（３）を満足する正レンズを少なくとも１枚有することが望ましい。第３レンズ群内の少なくとも１枚の正レンズが、条件式（３）を満足する範囲のアッベ数を有するようにすると、軸上色収差・倍率色収差を良好に補正することが可能となる。
νｄｐ≧６５  …（３）
ただし、
νｄｐ：第３レンズ群内の正レンズのアッベ数、
である。
【００２５】
以下の条件式（３ａ）を満足することが更に望ましい。
νｄｐ≧７１  …（３ａ）
この条件式（３ａ）は、前記条件式（３）が規定している条件範囲のなかでも、前記観点等に基づいた更に好ましい条件範囲を規定している。したがって、好ましくは条件式（３ａ）を満たすことにより、前記効果をより一層大きくすることができる。
【００２６】
前記第４レンズ群を手振れ補正群として、光軸に対し直交方向に移動させることにより手振れ補正を行うことが望ましい。このように第４レンズ群で手振れ補正を行う構成にすれば、正の第３レンズ群による収斂効果により第４レンズ群のレンズ径を小さくすることができるため、小型・軽量の手振れ補正群を構成することが可能となる。
【００２７】
以下の条件式（４）を満足することが望ましい。
０．１≦Ｍ２／Ｍ１≦０．５  …（４）
ただし、
Ｍ１：広角端から望遠端への変倍時に第１レンズ群が光軸上を移動する量、
Ｍ２：広角端から望遠端への変倍時に第２レンズ群が光軸上を移動する量、
である。
【００２８】
条件式（４）は、変倍における第１レンズ群と第２レンズ群の移動量を適切に設定するための条件を規定している。条件式（４）の下限を下回ると、広角端から望遠端への変倍時に第１レンズ群と第２レンズ群との間隔変化が大きくなりすぎて、高変倍比化を行うためには各レンズ群のパワーを強くしなければならなくなる。各レンズ群のパワーを強くすると、第１レンズ群と第２レンズ群で球面収差やコマ収差が増大する傾向となる。また、偏心等の製造誤差により発生する収差も増大する傾向となる。条件式（４）の下限を下回らないように移動量を設定すれば、高変倍比化を達成するために各レンズ群のパワーを強くする必要がないので、上記収差の増大を抑えることができる。
【００２９】
逆に、条件式（４）の上限を上回ると、広角端から望遠端への変倍時に第１レンズ群と第２レンズ群との間隔変化が小さくなりすぎて、望遠端でのレンズ全長が増大する傾向となる。つまり、条件式（４）の上限を上回らないように移動量を設定することにより、望遠端でのレンズ全長の増大を抑えることができる。したがって、条件式（４）を満たすことにより、高性能化と小型化とをバランス良く達成することが可能になる。
【００３０】
以下の条件式（４ａ）を満足することが更に望ましい。
０．１８≦Ｍ２／Ｍ１≦０．４  …（４ａ）
この条件式（４ａ）は、前記条件式（４）が規定している条件範囲のなかでも、前記観点等に基づいた更に好ましい条件範囲を規定している。したがって、好ましくは条件式（４ａ）を満たすことにより、前記効果をより一層大きくすることができる。
【００３１】
前記第６レンズ群が正レンズ１枚と負レンズ１枚からなり、以下の条件式（５）を満足することが望ましい。
０．１≦Ｔ６／ｆｗ≦０．３  …（５）
ただし、
ｆｗ：広角端における全系の焦点距離、
Ｔ６：第６レンズ群の光軸上の厚み、
である。
【００３２】
第６レンズ群が正レンズと負レンズを有することで、フォーカシング時に変動する色収差を抑えることができる。条件式（５）は、その第６レンズ群の光軸上の厚みを適切に設定することにより、フォーカス群の軽量小型化と色収差の補正とを共に達成するための条件を規定している。条件式（５）の下限を下回ると、第６レンズ群内の正のパワーが不足するため、フォーカシング時に変動する色収差が増大する傾向となる。つまり、条件式（５）の下限を下回らないように設定することによって、フォーカシング時に変動する色収差を抑えることができる。
【００３３】
逆に、条件式（５）の上限を上回ると、第６レンズ群の厚みが大きくなりすぎて、小型・軽量のフォーカス群として第６レンズ群を採用することが困難になってしまう。つまり、条件式（５）の上限を上回らないように設定すれば、第６レンズ群を動画撮影に好適な小型・軽量のフォーカス群として用いることができる。したがって、条件式（５）を満たすことにより、フォーカス群の軽量小型化と色収差の補正とをバランス良く達成することが可能になる。
【００３４】
以下の条件式（５ａ）を満足することが更に望ましい。
０．１３≦Ｔ６／ｆｗ≦０．２３  …（５ａ）
この条件式（５ａ）は、前記条件式（５）が規定している条件範囲のなかでも、前記観点等に基づいた更に好ましい条件範囲を規定している。したがって、好ましくは条件式（５ａ）を満たすことにより、前記効果をより一層大きくすることができる。
【００３５】
以下の条件式（６）を満足することが望ましい。
−１．２≦ｆ２／ｆｗ≦−０．７６  …（６）
ただし、
ｆｗ：広角端における全系の焦点距離、
ｆ２：第２レンズ群の焦点距離、
である。
【００３６】
条件式（６）は、第２レンズ群の焦点距離を適切に設定することにより、広い変倍領域にわたって良好に収差を補正するための条件を規定している。条件式（６）の下限を下回ると、第２レンズ群の負のパワーが不足するため、その傾向としてはペッツバル和が大きくなって像面湾曲の補正が困難になる。つまり、条件式（６）の下限を下回らないように設定することによって、像面湾曲の補正を効果的に補正することができる。
【００３７】
逆に、条件式（６）の上限を上回ると、第２レンズ群の負のパワーが強くなりすぎて、変倍時の球面収差・コマ収差の変動が増大する傾向となる。また、広角端における歪曲補正が困難になる。つまり、条件式（６）の上限を上回らないように設定することによって、変倍時の球面収差・コマ収差の変動を抑えるとともに広角端における歪曲を良好に補正することができる。したがって、条件式（６）を満たすことにより、広い変倍領域にわたって諸収差をバランス良く補正することが可能になる。
【００３８】
以下の条件式（６ａ）を満足することが更に望ましい。
−１．１≦ｆ２／ｆｗ≦−０．７７  …（６ａ）
この条件式（６ａ）は、前記条件式（６）が規定している条件範囲のなかでも、前記観点等に基づいた更に好ましい条件範囲を規定している。したがって、好ましくは条件式（６ａ）を満たすことにより、前記効果をより一層大きくすることができる。
【００３９】
以上説明したズームレンズは、画像入力機能付きデジタル機器（例えば、レンズ交換式デジタルカメラ）用の撮像レンズとしての使用に適しており、これを撮像素子等と組み合わせることにより、被写体の映像を光学的に取り込んで電気的な信号として出力する撮像光学装置を構成することができる。撮像光学装置は、被写体の静止画撮影や動画撮影に用いられるカメラの主たる構成要素を成す光学装置であり、例えば、物体（すなわち被写体）側から順に、物体の光学像を形成するズームレンズと、そのズームレンズにより形成された光学像を電気的な信号に変換する撮像素子（イメージセンサー）と、を備えることにより構成される。そして、撮像素子の受光面（すなわち撮像面）上に被写体の光学像が形成されるように、前述した特徴的構成を有するズームレンズが配置されることにより、小型・低コストで高い性能を有する撮像光学装置やそれを備えたデジタル機器を実現することができる。
【００４０】
画像入力機能付きデジタル機器の例としては、デジタルカメラ，ビデオカメラ，監視カメラ，防犯カメラ，車載カメラ，テレビ電話用カメラ等のカメラが挙げられる。また、パーソナルコンピューター，携帯用デジタル機器（例えば、携帯電話，スマートフォン（高機能携帯電話），タブレット端末，モバイルコンピューター等），これらの周辺機器（スキャナー，プリンター，マウス等），その他のデジタル機器（ドライブレコーダー，防衛機器等）等に内蔵又は外付けによりカメラ機能が搭載されたものが挙げられる。これらの例から分かるように、撮像光学装置を用いることによりカメラを構成することができるだけでなく、各種機器に撮像光学装置を搭載することによりカメラ機能を付加することが可能である。例えば、カメラ付き携帯電話等の画像入力機能付きデジタル機器を構成することが可能である。
【００４１】
図１５に、画像入力機能付きデジタル機器の一例として、デジタル機器ＤＵの概略構成例を模式的断面で示す。図１５に示すデジタル機器ＤＵに搭載されている撮像光学装置ＬＵは、物体（すなわち被写体）側から順に、物体の光学像（像面）ＩＭを変倍可能に形成するズームレンズＺＬ（ＡＸ：光軸）と、ズームレンズＺＬにより受光面（撮像面）ＳＳ上に形成された光学像ＩＭを電気的な信号に変換する撮像素子ＳＲと、を備えており、必要に応じて平行平面板（例えば、撮像素子ＳＲのカバーガラス；必要に応じて配置される光学的ローパスフィルター，赤外カットフィルター等の光学フィルター等に相当する。）も配置される。
【００４２】
この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して回動可能に構成してもよく、ユニット化した撮像光学装置ＬＵをイメージセンサー付き交換レンズとして、デジタル機器ＤＵ（つまり、レンズ交換式カメラ）の本体に対して着脱可能に構成してもよい。
【００４３】
ズームレンズＺＬは、正負正負正負の６群を含み、各レンズ群の軸上間隔を変化させることにより変倍（すなわちズーミング）を行い、第６レンズ群を光軸ＡＸに沿って移動させることによりフォーカシングを行い、撮像素子ＳＲの受光面ＳＳ上に光学像ＩＭを形成する構成になっている。撮像素子ＳＲとしては、例えば複数の画素を有するＣＣＤ(Charge Coupled Device)型イメージセンサー，ＣＭＯＳ(Complementary Metal-Oxide Semiconductor)型イメージセンサー等の固体撮像素子が用いられる。ズームレンズＺＬは、撮像素子ＳＲの光電変換部である受光面ＳＳ上に被写体の光学像ＩＭが形成されるように設けられているので、ズームレンズＺＬによって形成された光学像ＩＭは、撮像素子ＳＲによって電気的な信号に変換される。
【００４４】
デジタル機器ＤＵは、撮像光学装置ＬＵの他に、信号処理部１，制御部２，メモリー３，操作部４，表示部５等を備えている。撮像素子ＳＲで生成した信号は、信号処理部１で所定のデジタル画像処理や画像圧縮処理等が必要に応じて施され、デジタル映像信号としてメモリー３（半導体メモリー，光ディスク等）に記録されたり、場合によってはケーブルを介したり赤外線信号等に変換されたりして他の機器に伝送される（例えば携帯電話の通信機能）。制御部２はマイクロコンピューターからなっており、撮影機能（静止画撮影機能，動画撮影機能等），画像再生機能等の機能の制御；ズーミング，フォーカシング，手振れ補正等のためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリー３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【００４５】
次に、ズームレンズＺＬの第１〜第７の実施の形態を挙げて、その具体的な光学構成を更に詳しく説明する。図１〜図７は、第１〜第７の実施の形態を構成するズームレンズＺＬにそれぞれ対応する光学構成図であり、広角端（Ｗ），中間焦点距離状態（Ｍ），望遠端（Ｔ）でのレンズ断面形状，レンズ配置等を光学断面で示している。各光学構成図において、矢印ｍｊ（ｊ＝１，２，…，６）は、広角端（Ｗ）から望遠端（Ｔ）へのズーミングにおける第ｊレンズ群Ｇｒｊ（ｊ＝１，２，…，６）の移動の概略をそれぞれ模式的に示している。
【００４６】
光学構成図から分かるように、第１〜第７の実施の形態のズームレンズＺＬは、正負正負正負の６群ズームであって、軸上での各レンズ群間隔を全て変化させることにより広角端（Ｗ）から望遠端（Ｔ）までの変倍を行う構成になっており、変倍時には、すべてのレンズ群が像面ＩＭに対して相対的にそれぞれ移動し、絞り（開口絞り）ＳＴは第３レンズ群Ｇｒ３の一部として移動する。また、広角端（Ｗ）から望遠端（Ｔ）への変倍時には、第１レンズ群Ｇｒ１と第２レンズ群Ｇｒ２との間隔が増大し、第２レンズ群Ｇｒ２と第３レンズ群Ｇｒ３との間隔が減少し、第３レンズ群Ｇｒ３と第４レンズ群Ｇｒ４との間隔が増大し、第４レンズ群Ｇｒ４と第５レンズ群Ｇｒ５との間隔が減少し、第５レンズ群Ｇｒ５と第６レンズ群Ｇｒ６との間隔が増大後減少し、第６レンズ群Ｇｒ６と像面ＩＭとの間隔が増大する。第３レンズ群Ｇｒ３と第５レンズ群Ｇｒ５とは、変倍時に一体で移動するようにリンクしている。第３レンズ群Ｇｒ３と第５レンズ群Ｇｒ５とのリンクにより、同一のレンズ保持部で構成することが可能となるため、ズーム機構を簡略化することができる。
【００４７】
フォーカシング時には、第６レンズ群Ｇｒ６が光軸ＡＸに沿って移動する。つまり、第６レンズ群Ｇｒ６はフォーカス群であり、矢印ｍＦで示すように、無限遠から近距離物体へのフォーカシングにおいて像面ＩＭ側へ移動する。手振れ補正時には、第４レンズ群Ｇｒ４が光軸ＡＸに対して垂直方向（光軸ＡＸに対する直交方向）に移動する。つまり、第４レンズ群Ｇｒ４は手振れ補正群であり、矢印ｍＶで示すように、光軸ＡＸに対して垂直方向に移動することにより手振れ補正が行われる。
【００４８】
第１の実施の形態（図１）における各群は、近軸の面形状で各レンズを見た場合、物体側から順に以下のように構成されている。第１レンズ群Ｇｒ１は、像側に凹の負メニスカスレンズ及び両凸の正レンズからなる接合レンズと、物体側に凸の正メニスカスレンズと、で構成されている。第２レンズ群Ｇｒ２は、像側に凹の負メニスカスレンズと、両凹の負レンズと、両凸の正レンズと、物体側に凹の負メニスカスレンズと、で構成されている。第３レンズ群Ｇｒ３は、両面非球面からなる両凸の正レンズと、絞りＳＴと、像側に凹の負メニスカスレンズ及び両凸の正レンズからなる接合レンズと、で構成されている。第４レンズ群Ｇｒ４は、両凹の負レンズ及び物体側に凸の正メニスカスレンズ（像側面が非球面）からなる接合レンズと、で構成されている。第５レンズ群Ｇｒ５は、両凸の正レンズと、両凸の正レンズ及び物体側に凹の負メニスカスレンズからなる接合レンズと、で構成されている。第６レンズ群Ｇｒ６は、両凸の正レンズ及び両凹の負レンズからなる接合レンズで構成されている。
【００４９】
第２の実施の形態（図２）における各群は、近軸の面形状で各レンズを見た場合、物体側から順に以下のように構成されている。第１レンズ群Ｇｒ１は、像側に凹の負メニスカスレンズ及び両凸の正レンズからなる接合レンズと、物体側に凸の正メニスカスレンズと、で構成されている。第２レンズ群Ｇｒ２は、像側に凹の負メニスカスレンズと、両凹の負レンズと、両凸の正レンズと、物体側に凹の負メニスカスレンズと、で構成されている。第３レンズ群Ｇｒ３は、両面非球面からなる物体側に凸の正メニスカスレンズと、絞りＳＴと、像側に凹の負メニスカスレンズ及び両凸の正レンズからなる接合レンズと、で構成されている。第４レンズ群Ｇｒ４は、両凹の負レンズ及び物体側に凸の正メニスカスレンズ（像側面が非球面）からなる接合レンズと、で構成されている。第５レンズ群Ｇｒ５は、両凸の正レンズと、両凸の正レンズ及び物体側に凹の負メニスカスレンズからなる接合レンズと、で構成されている。第６レンズ群Ｇｒ６は、両凸の正レンズ及び両凹の負レンズからなる接合レンズで構成されている。
【００５０】
第３の実施の形態（図３）における各群は、近軸の面形状で各レンズを見た場合、物体側から順に以下のように構成されている。第１レンズ群Ｇｒ１は、像側に凹の負メニスカスレンズ及び両凸の正レンズからなる接合レンズと、物体側に凸の正メニスカスレンズと、で構成されている。第２レンズ群Ｇｒ２は、像側に凹の負メニスカスレンズと、両凹の負レンズと、両凸の正レンズと、物体側に凹の負メニスカスレンズと、で構成されている。第３レンズ群Ｇｒ３は、両面非球面からなる物体側に凸の正メニスカスレンズと、絞りＳＴと、像側に凹の負メニスカスレンズ及び両凸の正レンズからなる接合レンズと、で構成されている。第４レンズ群Ｇｒ４は、両凹の負レンズ及び物体側に凸の正メニスカスレンズ（像側面が非球面）からなる接合レンズと、で構成されている。第５レンズ群Ｇｒ５は、両凸の正レンズと、両凸の正レンズ及び物体側に凹の負メニスカスレンズからなる接合レンズと、で構成されている。第６レンズ群Ｇｒ６は、両凸の正レンズ及び両凹の負レンズからなる接合レンズで構成されている。
【００５１】
第４の実施の形態（図４）における各群は、近軸の面形状で各レンズを見た場合、物体側から順に以下のように構成されている。第１レンズ群Ｇｒ１は、像側に凹の負メニスカスレンズ及び両凸の正レンズからなる接合レンズと、物体側に凸の正メニスカスレンズと、で構成されている。第２レンズ群Ｇｒ２は、像側に凹の負メニスカスレンズと、両凹の負レンズと、両凸の正レンズと、物体側に凹の負メニスカスレンズと、で構成されている。第３レンズ群Ｇｒ３は、両面非球面からなる両凸の正レンズと、絞りＳＴと、像側に凹の負メニスカスレンズ及び両凸の正レンズからなる接合レンズと、で構成されている。第４レンズ群Ｇｒ４は、両凹の負レンズ及び物体側に凸の正メニスカスレンズ（像側面が非球面）からなる接合レンズと、で構成されている。第５レンズ群Ｇｒ５は、像側に凸の正メニスカスレンズと、両凸の正レンズ及び物体側に凹の負メニスカスレンズからなる接合レンズと、で構成されている。第６レンズ群Ｇｒ６は、両凸の正レンズ及び両凹の負レンズからなる接合レンズで構成されている。
【００５２】
第５の実施の形態（図５）における各群は、近軸の面形状で各レンズを見た場合、物体側から順に以下のように構成されている。第１レンズ群Ｇｒ１は、像側に凹の負メニスカスレンズ及び物体側に凸の正メニスカスレンズからなる接合レンズと、物体側に凸の正メニスカスレンズと、で構成されている。第２レンズ群Ｇｒ２は、像側に凹の負メニスカスレンズと、両凹の負レンズと、両凸の正レンズと、両凹の負レンズと、で構成されている。第３レンズ群Ｇｒ３は、両面非球面からなる両凸の正レンズと、絞りＳＴと、像側に凹の負メニスカスレンズ及び両凸の正レンズからなる接合レンズと、で構成されている。第４レンズ群Ｇｒ４は、両凹の負レンズ及び物体側に凸の正メニスカスレンズ（像側面が非球面）からなる接合レンズと、で構成されている。第５レンズ群Ｇｒ５は、両凸の正レンズと、両凸の正レンズ及び物体側に凹の負メニスカスレンズからなる接合レンズと、で構成されている。第６レンズ群Ｇｒ６は、両凸の正レンズ及び両凹の負レンズからなる接合レンズで構成されている。
【００５３】
第６の実施の形態（図６）における各群は、近軸の面形状で各レンズを見た場合、物体側から順に以下のように構成されている。第１レンズ群Ｇｒ１は、像側に凹の負メニスカスレンズ及び物体側に凸の正メニスカスレンズからなる接合レンズと、物体側に凸の正メニスカスレンズと、で構成されている。第２レンズ群Ｇｒ２は、像側に凹の負メニスカスレンズと、両凹の負レンズと、両凸の正レンズと、両凹の負レンズと、で構成されている。第３レンズ群Ｇｒ３は、像側面が複合型非球面からなる物体側に凸の正メニスカスレンズと、絞りＳＴと、像側に凹の負メニスカスレンズ及び両凸の正レンズからなる接合レンズと、で構成されている。第４レンズ群Ｇｒ４は、両凹の負レンズ及び物体側に凸の正メニスカスレンズ（像側面が非球面）からなる接合レンズと、で構成されている。第５レンズ群Ｇｒ５は、両凸の正レンズと、両凸の正レンズ及び物体側に凹の負メニスカスレンズからなる接合レンズと、で構成されている。第６レンズ群Ｇｒ６は、両凸の正レンズ及び両凹の負レンズからなる接合レンズで構成されている。
【００５４】
第７の実施の形態（図７）における各群は、近軸の面形状で各レンズを見た場合、物体側から順に以下のように構成されている。第１レンズ群Ｇｒ１は、像側に凹の負メニスカスレンズ及び物体側に凸の正メニスカスレンズからなる接合レンズと、物体側に凸の正メニスカスレンズと、で構成されている。第２レンズ群Ｇｒ２は、像側に凹の負メニスカスレンズと、両凹の負レンズと、両凸の正レンズと、物体側に凹の平凹の負レンズと、で構成されている。第３レンズ群Ｇｒ３は、絞りＳＴと、像側面が複合型非球面からなる物体側に凸の正メニスカスレンズと、像側に凹の負メニスカスレンズ及び両凸の正レンズからなる接合レンズと、で構成されている。第４レンズ群Ｇｒ４は、両凹の負レンズ及び物体側に凸の正メニスカスレンズ（像側面が非球面）からなる接合レンズと、で構成されている。第５レンズ群Ｇｒ５は、両凸の正レンズと、両凸の正レンズ及び物体側に凹の負メニスカスレンズからなる接合レンズと、で構成されている。第６レンズ群Ｇｒ６は、両凸の正レンズ及び両凹の負レンズからなる接合レンズで構成されている。
【実施例】
【００５５】
以下、本発明を実施したズームレンズの構成等を、実施例のコンストラクションデータ等を挙げて更に具体的に説明する。ここで挙げる実施例１〜７（ＥＸ１〜７）は、前述した第１〜第７の実施の形態にそれぞれ対応する数値実施例であり、第１〜第７の実施の形態を表す光学構成図（図１〜図７）は、対応する実施例１〜７のレンズ構成等をそれぞれ示している。
【００５６】
各実施例のコンストラクションデータでは、面データとして、左側の欄から順に、面番号ｉ，曲率半径ｒ（ｍｍ），軸上面間隔ｄ（ｍｍ），ｄ線（波長５８７．５６ｎｍ）に関する屈折率ｎｄ，ｄ線に関するアッベ数ｖｄを示す（ｏｂｊｅｃｔ：物体，ｓｔｏｐ：絞り，ｉｍａｇｅ：像）。面番号に＊が付された面は非球面であり、その面形状は面頂点を原点とするローカルな直交座標系（ｘ，ｙ，ｚ）を用いた以下の式（ＡＳ）で定義される。非球面データとして、非球面係数等を示す。なお、各実施例の非球面データにおいて表記の無い項の係数は０であり、すべてのデータに関してｅ−ｎ＝×１０-nである。
ｚ＝（ｃ・ｈ2）／［１＋√｛１−（１＋Ｋ）・ｃ2・ｈ2｝］＋Σ（Ａｊ・ｈj）  …（ＡＳ）
ただし、
ｈ：ｚ軸（光軸ＡＸ）に対して垂直な方向の高さ（ｈ2＝ｘ2＋ｙ2）、
ｚ：高さｈの位置での光軸ＡＸ方向のサグ量（面頂点基準）、
ｃ：面頂点での曲率（曲率半径ｒの逆数）、
Ｋ：円錐定数、
Ａｊ：ｊ次の非球面係数、
である。
【００５７】
各種データとして、変倍比（ｚｏｏｍ  ｒａｔｉｏ）を示し、さらに各焦点距離状態Ｗ，Ｍ，Ｔについて、全系の焦点距離（Ｆｌ，ｍｍ），Ｆナンバー（Ｆｎｏ．），半画角（ω，°），像高（ｙ’ｍａｘ，ｍｍ），レンズ全長（ＴＬ，ｍｍ），バックフォーカス（ＢＦ，ｍｍ），及び可変面間隔（ｄｉ，ｉ：面番号，ｍｍ）を示し、ズームレンズ群データとして、第ｊレンズ群Ｇｒｊ（ｊ＝１，２，…，６）の焦点距離（ｆｊ，ｍｍ）を示す。ただし、バックフォーカスＢＦは、レンズ最終面から近軸像面までの距離を空気換算長により表記しており、レンズ全長ＴＬは、レンズ最前面からレンズ最終面までの距離にバックフォーカスＢＦを加えたものである。また、表１に条件式の関連データを各実施例について示し、表２に条件式対応値を各実施例について示す。
【００５８】
図８〜図１４は、実施例１〜実施例７（ＥＸ１〜ＥＸ７）にそれぞれ対応する収差図（無限遠合焦状態での縦収差図）であり、（Ａ）〜（Ｃ）は広角端Ｗ、（Ｄ）〜（Ｆ）は中間焦点距離状態Ｍ、（Ｇ）〜（Ｉ）は望遠端Ｔにおける諸収差をそれぞれ示している。また、図８〜図１４において、（Ａ），（Ｄ），（Ｇ）は球面収差図、（Ｂ），（Ｅ），（Ｈ）は非点収差図、（Ｃ），（Ｆ），（Ｉ）は歪曲収差図である。
【００５９】
球面収差図は、実線で示すｄ線（波長５８７．５６ｎｍ）に対する球面収差量、一点鎖線で示すＣ線（波長６５６．２８ｎｍ）に対する球面収差量、破線で示すｇ線（波長４３５．８４ｎｍ）に対する球面収差量を、それぞれ近軸像面からの光軸ＡＸ方向のズレ量（単位：ｍｍ）で表しており、縦軸は瞳への入射高さをその最大高さで規格化した値（すなわち相対瞳高さ）を表している。非点収差図において、破線Ｔはｄ線に対するタンジェンシャル像面、実線Ｓはｄ線に対するサジタル像面を、近軸像面からの光軸ＡＸ方向のズレ量（単位：ｍｍ）で表しており、縦軸は像高（ＩＭＧ  ＨＴ，単位：ｍｍ）を表している。歪曲収差図において、横軸はｄ線に対する歪曲（単位：％）を表しており、縦軸は像高（ＩＭＧ  ＨＴ，単位：ｍｍ）を表している。なお、像高ＩＭＧ  ＨＴの最大値は、撮像素子ＳＲの受光面ＳＳの対角長の半分に相当する。
【００６０】
実施例１
単位：mm
面データ
i              r          d       nd         vd
object         infinity   infinity
1           123.707      1.576   1.84666   23.78
2            81.661      9.873   1.48749   70.44
3          -423.320      0.131
4            67.807      6.626   1.49700   81.61
5           212.196   variable
6            80.374      1.182   1.80420   46.50
7            16.407      8.163
8           -34.026      1.182   1.80420   46.50
9            80.604      0.131
10            35.713      5.334   1.84666   23.78
11           -40.356      1.939
12           -24.568      1.182   1.77250   49.62
13          -297.425   variable
14*           23.382      3.950   1.58313   59.46
15*         -155.086      1.829
16 (stop)   infinity      4.277
17            61.676      1.182   1.84666   23.78
18            18.826      5.609   1.49700   81.61
19           -37.572   variable
20          -124.038      1.182   1.77250   49.62
21            13.520      3.791   1.68893   31.16
22*           51.183   variable
23           545.445      2.688   1.80610   33.27
24           -40.132      3.034
25            22.964      5.130   1.48749   70.44
26           -32.001      1.313   1.84666   23.78
27          -173.271   variable
28           188.055      2.083   1.76182   26.61
29           -56.446      1.182   1.77250   49.62
30            33.481   variable
image         infinity
【００６１】
非球面データ
i        K            A4            A6            A8
14   0.0000e+000  -8.7198e-006   9.4090e-008  -1.3584e-009
15   0.0000e+000   1.2313e-005   6.2655e-008  -5.7934e-010
22   0.0000e+000  -9.8578e-006   1.2231e-008  -8.1300e-010
i       A10           A12           A14           A16
14   1.4916e-011  -2.8479e-014   0.0000e+000   0.0000e+000
15   7.7155e-012   0.0000e+000   0.0000e+000   0.0000e+000
22   4.8140e-012   0.0000e+000   0.0000e+000   0.0000e+000
【００６２】
各種データ
zoom ratio   14.12
広角(W)   中間(M)   望遠(T)
Fl        19.055    72.464   269.110
Fno.       3.587     5.200     6.834
ω        36.694    11.087     3.020
y'max      14.200    14.200    14.200
TL       146.503   185.415   242.251
BF        26.754    52.973    89.586
d5         2.285    33.601    67.323
d13        32.332     9.971     1.313
d19         1.576     4.737     4.968
d22         5.910     2.749     2.517
d27         3.076     6.815     1.973
d30        26.754    52.973    89.586
【００６３】
ズームレンズ群データ
群j(  面i  )   焦点距離fj
1 (  1-  5)    116.509
2 (  6- 13)    -15.719
3 ( 14- 19)     29.628
4 ( 20- 22)    -37.984
5 ( 23- 27)     27.627
6 ( 28- 30)    -52.520
【００６４】
実施例２
単位：mm
面データ
i              r          d       nd         vd
object         infinity   infinity
1           120.998      1.576   1.84666   23.78
2            82.224      8.852   1.48749   70.44
3         -1107.516      0.131
4            71.484      6.658   1.49700   81.61
5           254.724   variable
6            64.680      1.182   1.80420   46.50
7            15.804      8.544
8           -36.258      1.182   1.80420   46.50
9            80.644      0.131
10            33.853      5.397   1.84666   23.78
11           -44.723      2.089
12           -25.481      1.182   1.77250   49.62
13          -802.816   variable
14*           23.331      3.459   1.58313   59.46
15*          513.593      2.341
16 (stop)   infinity      2.869
17            68.825      1.182   1.84666   23.78
18            22.104      5.658   1.49700   81.61
19           -28.020   variable
20          -119.820      1.182   1.77250   49.62
21            14.104      3.672   1.68893   31.16
22*           58.156   variable
23           233.021      2.813   1.72342   37.99
24           -36.830      0.411
25            22.636      5.107   1.48749   70.44
26           -33.430      1.313   1.84666   23.78
27          -548.732   variable
28           262.814      2.006   1.80518   25.46
29           -55.224      1.182   1.77250   49.62
30            30.964   variable
image         infinity
【００６５】
非球面データ
i        K            A4            A6            A8
14   0.0000e+000   1.6341e-006   2.9430e-007  -3.5204e-009
15   0.0000e+000   2.8177e-005   2.6988e-007  -2.2911e-009
22   0.0000e+000  -8.3087e-006   1.3547e-008  -8.2567e-010
i       A10           A12           A14           A16
14   3.7147e-011  -7.1480e-014   0.0000e+000   0.0000e+000
15   2.3974e-011   0.0000e+000   0.0000e+000   0.0000e+000
22   5.4411e-012   0.0000e+000   0.0000e+000   0.0000e+000
【００６６】
各種データ
zoom ratio   14.12
広角(W)   中間(M)   望遠(T)
Fl        19.057    72.470   269.059
Fno.       3.587     5.200     6.834
ω        36.692    11.086     3.021
y'max      14.200    14.200    14.200
TL       146.527   183.487   242.251
BF        31.827    53.458    87.153
d5         2.158    35.844    73.729
d13        32.521     8.612     1.313
d19         1.576     4.928     5.600
d22         6.386     3.034     2.362
d27         1.943     7.494     1.976
d30        31.827    53.458    87.153
【００６７】
ズームレンズ群データ
群j(  面i  )   焦点距離fj
1 (  1-  5)    124.038
2 (  6- 13)    -15.801
3 ( 14- 19)     29.311
4 ( 20- 22)    -40.627
5 ( 23- 27)     27.661
6 ( 28- 30)    -47.284
【００６８】
実施例３
単位：mm
面データ
i              r          d       nd         vd
object         infinity   infinity
1           119.416      1.576   1.84666   23.78
2            81.018      9.202   1.48749   70.44
3          -631.073      0.131
4            72.794      6.373   1.49700   81.61
5           237.399   variable
6            73.840      1.182   1.80420   46.50
7            16.196      8.369
8           -36.393      1.182   1.80420   46.50
9            70.910      0.131
10            33.577      5.503   1.84666   23.78
11           -43.002      2.194
12           -24.829      1.182   1.77250   49.62
13          -728.871   variable
14*           20.895      3.932   1.58313   59.46
15*          107.358      2.765
16 (stop)   infinity      1.875
17            62.543      1.182   1.84666   23.78
18            21.979      5.590   1.49700   81.61
19           -28.590   variable
20          -107.103      1.182   1.77250   49.62
21            14.420      3.631   1.68893   31.16
22*           56.596   variable
23           181.524      2.952   1.72342   37.99
24           -35.387      0.131
25            22.815      5.173   1.48749   70.44
26           -32.560      1.313   1.84666   23.78
27          -565.582   variable
28           229.926      1.966   1.80518   25.46
29           -62.513      1.182   1.77250   49.62
30            31.846   variable
image         infinity
【００６９】
非球面データ
i        K            A4            A6            A8
14   0.0000e+000   8.3141e-006   2.6197e-007  -2.3415e-009
15   0.0000e+000   4.0478e-005   2.6910e-007  -1.4156e-009
22   0.0000e+000  -8.5868e-006   1.4215e-008  -7.7408e-010
i       A10           A12           A14           A16
14   2.7561e-011  -4.8706e-014   0.0000e+000   0.0000e+000
15   2.0868e-011   0.0000e+000   0.0000e+000   0.0000e+000
22   4.8772e-012   0.0000e+000   0.0000e+000   0.0000e+000
【００７０】
各種データ
zoom ratio   14.12
広角(W)   中間(M)   望遠(T)
Fl        19.054    72.454   269.023
Fno.       3.587     5.200     6.834
ω        36.696    11.089     3.021
y'max      14.200    14.200    14.200
TL       146.528   186.290   242.246
BF        33.369    57.970    86.928
d5         2.195    34.750    74.033
d13        31.024     8.704     1.313
d19         1.576     5.236     5.683
d22         6.519     2.859     2.411
d27         1.946     6.874     1.979
d30        33.369    57.970    86.928
【００７１】
ズームレンズ群データ
群j(  面i  )   焦点距離fj
1 (  1-  5)    122.651
2 (  6- 13)    -15.340
3 ( 14- 19)     29.567
4 ( 20- 22)    -39.049
5 ( 23- 27)     26.688
6 ( 28- 30)    -49.808
【００７２】
実施例４
単位：mm
面データ
i              r          d       nd         vd
object         infinity   infinity
1           121.346      1.576   1.84666   23.78
2            81.008      9.449   1.48749   70.44
3          -610.798      0.131
4            68.193      6.700   1.49700   81.61
5           226.416   variable
6            73.532      1.182   1.80420   46.50
7            16.028      8.362
8           -35.028      1.182   1.80420   46.50
9            80.052      0.131
10            34.347      5.362   1.84666   23.78
11           -43.239      2.060
12           -24.916      1.182   1.77250   49.62
13          -642.555   variable
14*           24.444      3.479   1.58313   59.46
15*         -781.367      2.250
16 (stop)   infinity      2.473
17           134.453      1.182   1.84666   23.78
18            29.936      5.510   1.49700   81.61
19           -25.541   variable
20          -161.760      1.182   1.77250   49.62
21            15.099      3.562   1.68893   31.16
22*           54.110   variable
23         -3364.237      2.985   1.58913   61.25
24           -29.448      1.266
25            22.776      5.258   1.54814   45.82
26           -30.258      1.313   1.92119   23.96
27          -731.583   variable
28           737.883      1.887   1.84666   23.78
29           -61.147      1.182   1.77250   49.62
30            34.326   variable
image         infinity
【００７３】
非球面データ
i        K            A4            A6            A8
14   0.0000e+000   2.3605e-006   2.1209e-007  -2.0777e-009
15   0.0000e+000   3.2494e-005   1.9433e-007  -1.0779e-009
22   0.0000e+000  -7.3333e-006   9.7558e-009  -6.0062e-010
i       A10           A12           A14           A16
14   2.3951e-011  -4.6069e-014   0.0000e+000   0.0000e+000
15   1.4428e-011   0.0000e+000   0.0000e+000   0.0000e+000
22   3.8986e-012   0.0000e+000   0.0000e+000   0.0000e+000
【００７４】
各種データ
zoom ratio   14.12
広角(W)   中間(M)   望遠(T)
Fl        19.051    72.465   269.075
Fno.       3.587     5.200     6.834
ω        36.699    11.087     3.021
y'max      14.200    14.200    14.200
TL       146.534   183.899   242.249
BF        31.781    53.780    90.541
d5         2.242    35.137    69.619
d13        31.761     9.082     1.313
d19         1.576     5.179     5.345
d22         6.382     2.779     2.613
d27         1.949     7.098     1.975
d30        31.781    53.780    90.541
【００７５】
ズームレンズ群データ
群j(  面i  )   焦点距離fj
1 (  1-  5)    118.619
2 (  6- 13)    -15.247
3 ( 14- 19)     28.848
4 ( 20- 22)    -42.775
5 ( 23- 27)     29.316
6 ( 28- 30)    -49.791
【００７６】
実施例５
単位：mm
面データ
i              r          d       nd         vd
object         infinity   infinity
1            86.112      1.576   1.84666   23.78
2            62.133      8.793   1.48749   70.44
3           714.022      0.131
4            76.398      5.444   1.48749   70.44
5           352.463   variable
6            69.152      1.182   1.80420   46.50
7            15.685      7.205
8           -46.212      1.182   1.80420   46.50
9            56.371      1.969
10            33.885      4.462   1.84666   23.78
11           -53.509      0.915
12           -30.483      1.182   1.77250   49.62
13           224.479   variable
14*           29.735      3.320   1.58313   59.46
15*         -465.847      1.778
16 (stop)   infinity      2.684
17            49.974      1.182   1.84666   23.78
18            23.841      5.589   1.49700   81.61
19           -33.700   variable
20          -114.395      1.182   1.77250   49.62
21            15.358      3.653   1.68893   31.16
22*           57.790   variable
23           118.153      3.282   1.58913   61.25
24           -32.113      0.131
25            29.147      5.392   1.54814   45.82
26           -24.215      1.313   1.92119   23.96
27          -155.747   variable
28           556.685      1.905   1.84666   23.78
29           -67.895      1.182   1.77250   49.62
30            37.373   variable
image         infinity
【００７７】
非球面データ
i        K            A4            A6            A8
14   0.0000e+000  -2.3513e-005  -2.5817e-007   1.7722e-009
15   0.0000e+000  -6.4556e-006  -3.1166e-007   3.0837e-009
22   0.0000e+000  -8.0842e-006   1.7449e-008  -6.3131e-010
i       A10           A12           A14           A16
14  -1.4504e-011  -8.8652e-014   0.0000e+000   0.0000e+000
15  -3.0365e-011   0.0000e+000   0.0000e+000   0.0000e+000
22   3.5034e-012   0.0000e+000   0.0000e+000   0.0000e+000
【００７８】
各種データ
zoom ratio   14.12
広角(W)   中間(M)   望遠(T)
Fl        19.046    72.467   268.996
Fno.       3.587     5.200     6.834
ω        36.706    11.087     3.022
y'max      14.200    14.200    14.200
TL       146.490   182.292   242.252
BF        34.992    57.871    92.058
d5         1.873    32.095    71.816
d13        32.748     8.247     1.473
d19         1.576     5.264     6.058
d22         6.714     3.025     2.232
d27         1.955     9.157     1.983
d30        34.992    57.871    92.058
【００７９】
ズームレンズ群データ
群j(  面i  )   焦点距離fj
1 (  1-  5)    120.184
2 (  6- 13)    -15.512
3 ( 14- 19)     29.172
4 ( 20- 22)    -40.801
5 ( 23- 27)     29.766
6 ( 28- 30)    -55.586
【００８０】
実施例６
単位：mm
面データ
i              r          d       nd         vd
object         infinity   infinity
1            87.215      1.576   1.84666   23.78
2            62.595      8.908   1.48749   70.44
3          1135.977      0.131
4            78.697      5.383   1.48749   70.44
5           378.711   variable
6            66.428      1.182   1.80420   46.50
7            15.779      7.183
8           -40.121      1.182   1.80420   46.50
9            60.192      1.918
10            35.463      4.379   1.84666   23.78
11           -50.277      0.889
12           -29.560      1.182   1.77250   49.62
13           329.661   variable
14            26.180      3.243   1.61800   63.39
15            89.539      0.168   1.51380   52.97
16*          171.097      2.487
17 (stop)   infinity      1.313
18            50.692      1.182   1.84666   23.78
19            25.518      5.838   1.49700   81.61
20           -32.203   variable
21          -104.742      1.182   1.77250   49.62
22            16.159      3.693   1.68893   31.16
23*           56.365   variable
24           121.993      3.526   1.58913   61.25
25           -30.290      0.131
26            29.497      5.640   1.54814   45.82
27           -24.201      1.313   1.92119   23.96
28          -159.522   variable
29           363.383      1.924   1.84666   23.78
30           -76.338      1.182   1.77250   49.62
31            36.527   variable
image         infinity
【００８１】
非球面データ
i        K            A4            A6            A8
16   6.1412e+001   2.5482e-005  -4.1642e-008   9.8372e-010
23   0.0000e+000  -8.1762e-006  -3.7556e-009  -1.3241e-010
i       A10           A12           A14           A16
16  -8.7731e-012   2.7162e-014   0.0000e+000   0.0000e+000
23   6.2634e-013   0.0000e+000   0.0000e+000   0.0000e+000
【００８２】
各種データ
zoom ratio   14.12
広角(W)   中間(M)   望遠(T)
Fl        19.045    72.460   268.977
Fno.       3.587     5.200     6.834
ω        36.709    11.088     3.022
y'max      14.200    14.200    14.200
TL       146.501   181.708   242.181
BF        35.275    60.435    91.859
d5         1.828    28.482    71.318
d13        31.843     7.710     1.422
d20         1.576     6.092     6.564
d23         7.287     2.771     2.298
d28         1.958     9.483     1.985
d31        35.275    60.435    91.859
【００８３】
ズームレンズ群データ
群j(  面i  )   焦点距離fj
1 (  1-  5)    119.147
2 (  6- 13)    -15.310
3 ( 14- 20)     29.082
4 ( 21- 23)    -39.696
5 ( 24- 28)     29.187
6 ( 29- 31)    -56.332
【００８４】
実施例７
単位：mm
面データ
i              r          d       nd         vd
object         infinity   infinity
1            81.334      1.576   1.84666   23.78
2            58.713      8.749   1.48749   70.44
3          1143.504      0.131
4            79.732      5.246   1.48749   70.44
5           383.047   variable
6            65.579      1.182   1.80420   46.50
7            14.138      7.109
8           -34.361      1.182   1.80420   46.50
9            73.648      0.131
10            31.477      4.458   1.84666   23.78
11           -44.838      0.852
12           -27.237      1.182   1.77250   49.62
13          infinity   variable
14 (stop)   infinity      1.313
15            22.141      3.287   1.61800   63.39
16            53.768      0.197   1.51380   52.97
17*           91.605      2.871
18            88.218      1.182   1.84666   23.78
19            30.773      6.094   1.49700   81.61
20           -26.232   variable
21          -120.734      1.182   1.77250   49.62
22            15.355      4.001   1.68893   31.16
23*           56.639   variable
24           132.608      3.481   1.58913   61.25
25           -32.196      1.231
26            27.037      5.698   1.54814   45.82
27           -25.780      1.313   1.92119   23.96
28          -260.537   variable
29           296.776      1.973   1.84666   23.78
30           -72.803      1.182   1.77250   49.62
31            35.286   variable
image         infinity
【００８５】
非球面データ
i        K            A4            A6            A8
17   2.3627e+001   3.4125e-005  -1.0678e-008   4.3372e-010
23   0.0000e+000  -8.0329e-006  -6.8365e-009  -1.4852e-010
i       A10           A12           A14           A16
17  -3.4365e-012   7.5166e-015   0.0000e+000   0.0000e+000
23   7.2251e-013   0.0000e+000   0.0000e+000   0.0000e+000
【００８６】
各種データ
zoom ratio   14.12
広角(W)   中間(M)   望遠(T)
Fl        19.052    72.465   268.951
Fno.       3.587     5.200     6.834
ω        36.698    11.087     3.022
y'max      14.200    14.200    14.200
TL       146.468   183.332   242.185
BF        35.039    60.849    92.396
d5         1.768    28.614    69.445
d13        31.841     8.815     2.626
d20         1.576     6.118     6.588
d23         7.356     2.814     2.343
d28         2.088     9.323     1.986
d31        35.039    60.849    92.396
【００８７】
ズームレンズ群データ
群j(  面i  )   焦点距離fj
1 (  1-  5)    115.590
2 (  6- 13)    -14.811
3 ( 14- 20)     29.163
4 ( 21- 23)    -40.947
5 ( 24- 28)     30.147
6 ( 29- 31)    -55.864
【００８８】
【表１】
2020085925.tif 000003
【００８９】
【表２】
2020085925.tif 000004
【符号の説明】
【００９０】
ＤＵ    デジタル機器
ＬＵ    撮像光学装置
ＺＬ    ズームレンズ
Ｇｒｊ    第ｊレンズ群（ｊ＝１，２，…，６）
ＳＴ    絞り
ＳＲ    撮像素子
ＳＳ    受光面（撮像面）
ＩＭ    像面（光学像）
ＡＸ    光軸
１    信号処理部
２    制御部
３    メモリー
４    操作部
５    表示部
【図１】
2020085925.tif 000005
【図２】
2020085925.tif 000006
【図３】
2020085925.tif 000007
【図４】
2020085925.tif 000008
【図５】
2020085925.tif 000009
【図６】
2020085925.tif 000010
【図７】
2020085925.tif 000011
【図８】
2020085925.tif 000012
【図９】
2020085925.tif 000013
【図１０】
2020085925.tif 000014
【図１１】
2020085925.tif 000015
【図１２】
2020085925.tif 000016
【図１３】
2020085925.tif 000017
【図１４】
2020085925.tif 000018
【図１５】
2020085925.tif 000019